(57)【特許請求の範囲】
【請求項１】
建物本体と、平面視で、この建物本体の外壁面との間に入隅部を介し、該外壁面から外側に突出する建物凸部とを備えた建物の上部に設けられる屋根構造において、
前記建物凸部の上部と、この建物凸部の上部に連続し、かつ、この建物凸部の上部側から建物本体の上部側に向かって所定長さ分進出した部分とが陸屋根領域とされており、
前記建物本体の上部のうち、前記建物凸部の上部側から進出する陸屋根領域の一部を除く部分が勾配屋根領域とされており、
前記陸屋根領域には、周縁部に所定高さに設定されたパラペットが立設される陸屋根が設けられており、
前記勾配屋根領域には、傾斜方向下端部に、前記建物凸部の上部側から進出する陸屋根領域の一部に対応して形成された凹部を有する勾配屋根が設けられており、
前記陸屋根の周縁部に立設されたパラペットのうち、前記建物凸部の上部側から進出する陸屋根領域の一部に立設された部分と、前記勾配屋根の凹部の縁部とは近接して配置されており、
前記パラペットのうちの陸屋根領域の一部に立設された部分と、前記勾配屋根の凹部の縁部との間には、これらパラペットと凹部の縁部との間を防水する防水手段が設けられていることを特徴とする屋根構造。
【請求項２】
請求項１に記載の屋根構造において、
前記陸屋根の周縁部に立設されたパラペットのうち、平面視において近接する勾配屋根の傾斜方向に沿って立設された両側部の勾配屋根側端部には、前記近接する勾配屋根の傾斜角度と略等しい傾斜面を有する傾斜壁が設けられていることを特徴とする屋根構造。
【請求項３】
請求項１または２に記載の屋根構造において、
前記陸屋根の周縁部とパラペットとの間に排水溝が形成されていることを特徴とする屋根構造。
【請求項４】
請求項１〜３のいずれか一項に記載の屋根構造において、
前記陸屋根の周縁部に立設されたパラペットのうち、前記陸屋根領域の勾配屋根側縁部に沿って設けられる立上りの部分の上端部の高さ位置と、前記パラペットのその他の部分の上端部の高さ位置とが略等しくなるように設定されており、
前記勾配屋根は、陸屋根領域を挟むようにして勾配屋根の勾配方向に向けて突出する突出部を有しており、
これら突出部の傾斜方向下端部の高さ位置は、建物本体の外周の軒先納まりの高さと等しくなるように設定されていることを特徴とする屋根構造。
【請求項５】
請求項１〜４のいずれか一項に記載の屋根構造において、
前記建物本体および建物凸部は、四隅の柱、上梁および下梁から略直方体状に形成された骨組みを有する建物ユニットを複数配置して構成されており、
前記陸屋根は、略平坦な屋根面を構成するスラブと、このスラブを支持する支持フレームと、周縁部に立設される前記パラペットとを有し、かつ前記陸屋根領域に対応する建築ユニット上に配置されており、
前記勾配屋根は、矩形枠状の小屋パネルと、この小屋パネル上に配置される複数の屋根束と、これら複数の屋根束によって所定の角度に傾斜するように支持される屋根パネルとを有し、かつ前記勾配屋根領域に対応する建築ユニット上に配置されていることを特徴とする屋根構造。
【請求項６】
請求項５に記載の屋根構造において、
前記建物ユニットの製作時の基準となる長さの単位を１モジュールと設定した時、前記陸屋根領域のうち、前記建物凸部の上部側から建物本体の上部側に向かって進出した部分の進出方向の長さは０．５モジュールに設定されていることを特徴とする屋根構造。
【発明の詳細な説明】
【技術分野】
【０００１】
本発明は、建物本体と、平面視で、この建物本体の外壁面との間に入隅部を介し、該外壁面から外側に突出する建物凸部とを備えた建物の上部に設けられる屋根構造に関する。
【背景技術】
【０００２】
平面視において略Ｌ字型や略凸字型、略凹字型等に建築された建物の外形に合わせて勾配屋根を設ける技術が知られている（例えば、特許文献１参照）。
しかし、特許文献１に記載の勾配屋根では、平面視矩形状の切妻屋根や寄棟屋根等のような比較的単純な屋根よりも棟の数が増え、屋根形状が複雑化する。そして、屋根形状が複雑化すると、その分、防水処理に手間がかかることになる。
さらに、太陽電池モジュールを屋根に設置する際に、隣り合う屋根間の谷部に、特殊な形状の太陽電池モジュールを用いる場合がある。このような特殊な形状の太陽得電池モジュールを用いて屋根の施工を行うと、一般的な矩形状の太陽電池モジュールを用いて屋根の施工を行う場合に比してコスト高になる、という問題がある。
【０００３】
そこで、特許文献２に記載のように、陸屋根上に、この陸屋根の周縁部から間隔をあけて配置された勾配屋根の傾斜面に、一般的な矩形状の太陽電池モジュールを設置したいという要望がある。
このような屋根に太陽電池モジュールを設置すれば、上述のように棟の数が増え、屋根形状が複雑化してしまうようなことはないため、防水処理に係る手間を省くことができる。また、太陽電池モジュールを屋根に設置する際に、特殊な形状の太陽電池モジュールを用いる必要が無いため、コスト高になることを防ぐことができる。
【先行技術文献】
【特許文献】
【０００４】
【特許文献１】特開２００２−２３５４０１号公報
【特許文献２】特開２００３−３０１５１９号公報
【発明の概要】
【発明が解決しようとする課題】
【０００５】
ところが、特許文献２に記載のような勾配屋根は陸屋根の上に、この陸屋根の周縁部から間隔をあけて設置されるため、平面視において、傾斜方向下端部と外壁とが略重なるようにして設けられる勾配屋根や、傾斜方向下端部が外壁よりも外側に突出するようにして設けられる勾配屋根に比して傾斜面の面積が狭い。そして、このように傾斜面の面積が狭いので、太陽電池モジュールを設置する数が、建物の大きさの割に少なくなるという問題がある。
そこで、平面視において略Ｌ字型や略凸字型、略凹字型等に建築された建物に、太陽電池モジュールが設置される勾配屋根を設ける場合に、上述のような諸問題を解決し得る技術の開発が望まれていた。
【０００６】
本発明の課題は、太陽電池モジュールを設置するための広い傾斜面を確保できるとともに、防水性に優れる屋根構造を提供することを目的とする。
【課題を解決するための手段】
【０００７】
請求項１に記載の発明は、例えば図１〜図１２に示すように、建物本体１と、平面視で、この建物本体１の外壁面１ａとの間に入隅部２ａを介し、該外壁面１ａから外側に突出する建物凸部２とを備えた建物の上部に設けられる屋根構造において、
前記建物凸部２の上部と、この建物凸部２の上部に連続し、かつ、この建物凸部２の上部側から建物本体１の上部側に向かって所定長さ分進出した部分とが陸屋根領域３とされており、
前記建物本体１の上部のうち、前記建物凸部２の上部側から進出する陸屋根領域３の一部を除く部分が勾配屋根領域４とされており、
前記陸屋根領域３には、周縁部に所定高さに設定されたパラペット６が立設される陸屋根５が設けられており、
前記勾配屋根領域４には、傾斜方向下端部に、前記建物凸部２の上部側から進出する陸屋根領域３の一部に対応して形成された凹部７ａを有する勾配屋根７，７Ａが設けられており、
前記陸屋根５の周縁部に立設されたパラペット６のうち、前記建物凸部２の上部側から進出する陸屋根領域３の一部に立設された部分と、前記勾配屋根７，７Ａの凹部７ａの縁部とは近接して配置されており、
前記パラペット６のうちの陸屋根領域３の一部に立設された部分と、前記勾配屋根７，７Ａの凹部７ａの縁部との間には、これらパラペット６と凹部７ａの縁部との間を防水する防水手段（例えば、サイディング２０，２０ａ，２１、耐水シート２８，２９、水切り部材３５等）が設けられていることを特徴とする。
【０００８】
請求項１に記載の発明によれば、平面視において略Ｌ字型や略凸字型、略凹字型等に建築された建物に勾配屋根を設ける場合に、前記建物凸部２の上部と、この建物凸部２の上部に連続し、かつ、この建物凸部２の上部側から建物本体１の上部側に向かって所定長さ分進出した部分とが陸屋根領域３とされ、この陸屋根領域３に、周縁部に所定高さに設定されたパラペット６が立設される陸屋根５が設けられており、前記建物本体１の上部のうち、前記建物凸部２の上部側から進出する陸屋根領域３の一部を除く部分が勾配屋根領域４とされ、この勾配屋根領域４に、傾斜方向下端部に、前記建物凸部２の上部側から進出する陸屋根領域３の一部に対応して形成された凹部７ａを有する勾配屋根７，７Ａが設けられているので、建物の外形に合わせて屋根を形成する必要がなく、建物の上部に設けられる屋根を、陸屋根５と、比較的単純な勾配屋根７，７Ａとで構成することができる。
これによって、建物凸部２を有する建物の外形に合わせて屋根を形成する場合に比して、屋根に設けられる棟の数を格段に少なくすることができるので、屋根形状を単純化することができる。
また、このように棟の数を少なくできるので、前記陸屋根５と勾配屋根７，７Ａとの取り合い部分を重点的に防水すればよく、防水処理に係る手間を省略することができる。さらに、前記パラペット６のうちの陸屋根領域３の一部に立設された部分と、前記勾配屋根７，７Ａの凹部７ａの縁部との間には、これらパラペット６と凹部７ａの縁部との間を防水する防水手段が設けられているので、前記陸屋根５と勾配屋根７，７Ａとの取り合い部分からの雨水の浸入を確実に防ぐことができる。
また、このように棟の数を少なくし、屋根形状を単純化できるので、前記勾配屋根７，７Ａの傾斜面に太陽電池モジュールを設置する際に、従来とは異なり、特殊な形状の太陽電池モジュールを用いる必要がなく、低コストで太陽電池付き屋根の施工を行うことができる。
さらに、前記勾配屋根７，７Ａは、従来の陸屋根の周縁部から間隔をあけて設置される勾配屋根とは異なり、前記建物凸部２の上部側から進出する陸屋根領域３の一部を除く部分の勾配屋根領域４に設けられるので、傾斜面の面積を広くすることができ、より多くの数の太陽電池モジュールを設置することができる。
また、前記勾配屋根７，７Ａの傾斜方向下端部に凹部７ａを形成せず、前記陸屋根５と勾配屋根７，７Ａとが噛み合わないような構成とした場合は、例えば前記建物凸部２を、前記建物本体１よりも、前記パラペット６の高さ分低くしなければならない等の問題があり、外観だけでなく、建物の内部空間や間取り等にも影響が及ぶ場合がある。このため、以上のように陸屋根５を勾配屋根７，７Ａ側に進出させ、これら陸屋根５と勾配屋根７，７Ａとを噛み合わせる構成とすることによって、外観や建物の内部空間や間取り等に影響を与えることなく屋根の施工を行うことができる。
【０００９】
請求項２に記載の発明は、例えば図１〜図７に示すように、請求項１に記載の屋根構造において、
前記陸屋根５の周縁部に立設されたパラペット６のうち、平面視において近接する勾配屋根７，７Ａの傾斜方向に沿って立設された両側部の勾配屋根側端部には、前記近接する勾配屋根７，７Ａの傾斜角度と略等しい傾斜面６ｂを有する傾斜壁６ａが設けられていることを特徴とする。
【００１０】
請求項２に記載の発明によれば、前記陸屋根５の周縁部に立設されたパラペット６のうち、平面視において近接する勾配屋根７，７Ａの傾斜方向に沿って立設された両側部の勾配屋根側端部には、前記近接する勾配屋根７，７Ａの傾斜角度と略等しい傾斜面６ｂを有する傾斜壁６ａが設けられているので、前記パラペット６と勾配屋根７，７Ａとに連続性を持たせることができる。
これによって、前記勾配屋根７，７Ａの傾斜面と、前記傾斜壁６ａの傾斜面６ｂとを面一にすることができるので、これら勾配屋根７，７Ａと傾斜壁６ａとの間の防水処理を容易かつ確実に行うことができるとともに、前記陸屋根５と勾配屋根７，７Ａとの取り合い部分における外観性を向上させることができる。
【００１１】
請求項３に記載の発明は、例えば図１，図４〜図１１に示すように、請求項１または２に記載の屋根構造において、
前記陸屋根５の周縁部とパラペット６との間に排水溝８が形成されていることを特徴とする。
【００１２】
請求項３に記載の発明によれば、前記陸屋根５の周縁部とパラペット６との間に排水溝８が形成されているので、この排水溝８と排水管（例えば、排水管８ａ）等とを接続させることで、前記勾配屋根７，７Ａから陸屋根５へと流れ込む雨水等や陸屋根５へと降り注いだ雨水等を確実に排水することができる。
【００１３】
請求項４に記載の発明は、例えば図１〜図１１に示すように、請求項１〜３のいずれか一項に記載の屋根構造において、
前記陸屋根５の周縁部に立設されたパラペット６のうち、前記陸屋根領域３の勾配屋根側縁部に沿って設けられる立上りの部分の上端部の高さ位置と、前記パラペット６のその他の部分の上端部の高さ位置とが略等しくなるように設定されており、
前記勾配屋根７は、陸屋根領域３を挟むようにして勾配屋根７の勾配方向に向けて突出する突出部７ｂを有しており、
これら突出部７ｂの傾斜方向下端部の高さ位置は、建物本体１の外周の軒先納まりの高さと等しくなるように設定されていることを特徴とする。
【００１４】
請求項４に記載の発明によれば、前記陸屋根５の周縁部に立設されたパラペット６のうち、前記陸屋根領域３の勾配屋根側縁部に沿って設けられる立上りの部分の上端部の高さ位置と、前記パラペット６のその他の部分の上端部の高さ位置とが略等しくなるように設定されているので、前記勾配屋根７の傾斜角度に関わらず前記陸屋根５を、前記陸屋根領域３に設けることができる。すなわち、例えば現場毎に勾配屋根７の傾斜角度と合うように、その全体の高さや角度を調節しながらパラペット６を設置するような必要がないので、前記勾配屋根７の傾斜角度が何度であっても対応することができる。
また、前記勾配屋根７は、陸屋根領域３を挟むようにして勾配屋根７の勾配方向に向けて突出する突出部７ｂを有しており、これら突出部７ｂの傾斜方向下端部の高さ位置は、建物本体１の外周の軒先納まりの高さと等しくなるように設定されているので、前記建物本体１に建物凸部２を設けるとともに、この建物凸部２の上部に前記陸屋根５を設けたとしても、建物外周の軒先の高さが揃うことになる。したがって、建物全体に統一感を持たせることができ、外観性を向上させることが可能となる。
【００１５】
請求項５に記載の発明は、例えば図１〜図１２に示すように、請求項１〜４のいずれか一項に記載の屋根構造において、
前記建物本体１および建物凸部２は、四隅の柱、上梁および下梁から略直方体状に形成された骨組みを有する建物ユニット１０，１１を複数配置して構成されており、
前記陸屋根５は、略平坦な屋根面を構成するスラブ１２と、このスラブ１２を支持する支持フレーム１３，１４と、周縁部に立設される前記パラペット６とを有し、かつ前記陸屋根領域３に対応する建築ユニット１１，１１上に配置されており、
前記勾配屋根７，７Ａは、矩形枠状の小屋パネル１５と、この小屋パネル１５上に配置される複数の屋根束と、これら複数の屋根束によって所定の角度に傾斜するように支持される屋根パネル１６とを有し、かつ前記勾配屋根領域４に対応する建築ユニット１０，１１上に配置されていることを特徴とする。
【００１６】
請求項５に記載の発明によれば、前記建物本体１および建物凸部２は建物ユニット１０，１１によって構成されており、前記陸屋根５は、略平坦な屋根面を構成するスラブ１２と、このスラブ１２を支持する支持フレーム１３，１４と、周縁部に立設される前記パラペット６とを有し、かつ前記陸屋根領域３に対応する建築ユニット１１，１１上に配置されており、前記勾配屋根７，７Ａは、矩形枠状の小屋パネル１５と、この小屋パネル１５上に配置される複数の屋根束と、これら複数の屋根束によって所定の角度に傾斜するように支持される屋根パネル１６とを有し、かつ前記勾配屋根領域４に対応する建築ユニット１０，１１上に配置されているので、前記建物ユニット１０，１１を工場等で予め製造しておき、建設現場において、前記建物ユニット１０，１１や、陸屋根５および勾配屋根７，７Ａを構成する各部材をクレーンで順次吊り込む作業を行うことにより、前記建物本体１および建物凸部２と、陸屋根５と、勾配屋根７，７Ａとを建築することができ、建設現場で異種の工法作業を行う必要がなく、作業の容易化を図ることができる。したがって、工期の短縮、コストダウン等を達成できる。
【００１７】
請求項６に記載の発明は、例えば図１〜図１２に示すように、請求項５に記載の屋根構造において、
前記建物ユニット１０，１１の製作時の基準となる長さの単位を１モジュールと設定した時、前記陸屋根領域３のうち、前記建物凸部２の上部側から建物本体１の上部側に向かって進出した部分の進出方向の長さは０．５モジュールに設定されていることを特徴とする。
【００１８】
請求項６に記載の発明によれば、前記建物ユニット１０，１１の製作時の基準となる長さの単位を１モジュールと設定した時、前記陸屋根領域３のうち、前記建物凸部２の上部側から建物本体１の上部側に向かって進出した部分の進出方向の長さは０．５モジュールに設定されているので、前記陸屋根５の前記勾配屋根７，７Ａ側に進出する分の長さは基準化されることになる。これによって、前記建物凸部２の上部の大きさを決めることで、前記陸屋根５の大きさを決定することができるので、前記建物凸部２の上部に陸屋根５を構成する各部材を適宜配置するだけで、前記勾配屋根７，７Ａ側に進出する部分を、前記建物本体１の上部に確実かつ正確に配置することができる。
【発明の効果】
【００１９】
本発明によれば、平面視において略Ｌ字型や略凸字型、略凹字型等に建築された建物に勾配屋根を設ける場合に、前記建物凸部の上部と、この建物凸部の上部に連続し、かつ、この建物凸部の上部側から建物本体の上部側に向かって所定長さ分進出した部分とが陸屋根領域とされ、この陸屋根領域に、周縁部に所定高さに設定されたパラペットが立設される陸屋根が設けられており、前記建物本体の上部のうち、前記建物凸部の上部側から進出する陸屋根領域の一部を除く部分が勾配屋根領域とされ、この勾配屋根領域に、傾斜方向下端部に、前記建物凸部の上部側から進出する陸屋根領域の一部に対応して形成された凹部を有する勾配屋根が設けられているので、建物の外形に合わせて屋根を形成する必要がなく、建物の上部に設けられる屋根を、陸屋根と、比較的単純な勾配屋根とで構成することができる。
これによって、建物凸部を有する建物の外形に合わせて屋根を形成する場合に比して、屋根に設けられる棟の数を格段に少なくすることができるので、屋根形状を単純化することができる。
また、このように棟の数を少なくできるので、前記陸屋根と勾配屋根との取り合い部分を重点的に防水すればよく、防水処理に係る手間を省略することができる。さらに、前記パラペットのうちの陸屋根領域の一部に立設された部分と、前記勾配屋根の凹部の縁部との間には、これらパラペットと凹部の縁部との間を防水する防水手段が設けられているので、前記陸屋根と勾配屋根との取り合い部分からの雨水の浸入を確実に防ぐことができる。
また、このように棟の数を少なくし、屋根形状を単純化できるので、前記勾配屋根の傾斜面に太陽電池モジュールを設置する際に、従来とは異なり、特殊な形状の太陽電池モジュールを用いる必要がなく、低コストで太陽電池付き屋根の施工を行うことができる。
さらに、前記勾配屋根は、従来の陸屋根の周縁部から間隔をあけて設置される勾配屋根とは異なり、前記建物凸部の上部側から進出する陸屋根領域の一部を除く部分の勾配屋根領域に設けられるので、傾斜面の面積を広くすることができ、より多くの数の太陽電池モジュールを設置することができる。
また、前記勾配屋根の傾斜方向下端部に凹部を形成せず、前記陸屋根と勾配屋根とが噛み合わないような構成とした場合は、例えば前記建物凸部を、前記建物本体よりも、前記パラペットの高さ分低くしなければならない等の問題があり、外観だけでなく、建物の内部空間や間取り等にも影響が及ぶ場合がある。このため、以上のように陸屋根を勾配屋根側に進出させ、これら陸屋根と勾配屋根とを噛み合わせる構成とすることによって、外観や建物の内部空間や間取り等に影響を与えることなく屋根の施工を行うことができる。
【図面の簡単な説明】
【００２０】
【図１】本発明の屋根構造を示す平面図であり、（ａ）は切妻屋根を示し、（ｂ）は寄棟屋根を示している。
【図２】本発明の屋根構造の施工手順を示す斜視図である。
【図３】本発明の屋根構造の施工手順を示す斜視図である。
【図４】本発明の屋根構造の施工手順を示す斜視図である。
【図５】本発明の屋根構造の施工手順を示す斜視図である。
【図６】本発明の屋根構造の施工手順を示す斜視図である。
【図７】本発明の屋根構造の施工手順を示す斜視図である。
【図８】本発明の屋根構造の施工手順を示す斜視図である。
【図９】本発明の屋根構造の施工手順を示す斜視図である。
【図１０】本発明の屋根構造の施工手順を示す斜視図である。
【図１１】本発明の屋根構造の施工手順を示す斜視図である。
【図１２】本発明の屋根構造における陸屋根のパラペットと勾配屋根との取り合い部分を示しており、（ａ）は側断面図であり、（ｂ）はＡ−Ａ断面図である。
【発明を実施するための形態】
【００２１】
以下、図面を参照して本発明の実施の形態について説明する。
図１（ａ），（ｂ）は本発明に係る屋根構造の一例を示す平面図である。
図１（ａ），（ｂ）において符号１は建物本体を示し、符号２は建物凸部を示す。この建物凸部２は、前記建物本体１の外壁面１ａとの間に入隅部２ａを介し、該外壁面１ａから外側に突出するようにして設けられている。そして、これら建物本体１および建物凸部２の上部に屋根が設けられている。
この屋根は、前記建物凸部２の上部と建物本体１の上部の一部とに設けられる陸屋根５と、前記建物本体１の上部に設けられる勾配屋根７，７Ａとを備えている。
また、図１（ａ）に示す勾配屋根７は切妻屋根であり、図１（ｂ）に示す勾配屋根７Ａは寄棟屋根であり、比較的単純な構造の屋根が採用されている。なお、以下、図１（ａ）に示す切妻屋根形状の勾配屋根７に基づいて説明を行うものとする。
【００２２】
また、前記建物本体１および建物凸部２は、四隅の柱と、これらの柱の上端部同士を結合する４本の上梁と、下端部同士を結合する４本の下梁とを含む骨組みを有し、この骨組みが略直方体状に形成された金属製の建物ユニット１０，１１によって構成されている。すなわち、前記建物ユニット１０，１１の上梁および下梁は、前記柱を介して矩形枠状に組まれている。
さらに、図示しないが、上梁は各２本の長辺上梁および短辺上梁で構成され、下梁は各２本の長辺下梁および短辺下梁で構成されている。また、２本の長辺上梁間、および２本の長辺下梁間には、複数本の天井小梁、複数本の根太がそれぞれ架け渡されている。
【００２３】
そして、図１（ａ）に示すように、建物の建物凸部２が形成されない部分には、建物ユニット１０が配置され、建物の建物凸部２が形成される部分には、建物ユニット１１が配置されている。さらに、これら建物ユニット１０，１１は、その長辺同士が隣り合うようにして並設されており、平面視において略凸字型に形成されている。
【００２４】
前記陸屋根５は、前記建物凸部２の上部と、この建物凸部２の上部に連続し、かつ、この建物凸部２の上部側から建物本体１の上部側に向かって所定長さ分進出した部分とからなる陸屋根領域３に設けられている。
また、この陸屋根５は、図４に示すように、略平坦な屋根面を構成するスラブ１２と、このスラブ１２を支持する支持フレーム１３，１４と、周縁部に立設されるパラペット６とを有している。
【００２５】
前記スラブ１２としてはＡＬＣ（autoclaved light concrete；高温高圧蒸気養生の軽量気泡コンクリート）板が採用されている。
また、前記支持フレーム１３は、前記建物ユニット１１の長辺上梁の上面に沿って設けられており、前記支持フレーム１４は、前記陸屋根領域３の勾配屋根側の辺と、前記陸屋根領域３の外部側の辺とに沿って、互いに平行に設けられている。つまり、これら支持フレーム１４は、前記支持フレーム１３に直交するようにして設けられている。
【００２６】
そして、これら支持フレーム１３と支持フレーム１４とで形成される枠内に前記スラブ１２が設けられている。
この時、前記スラブ１２は所定の水勾配となるように支持されている。また、このように前記スラブ１２を所定の水勾配となるように支持すると同時に、図１（ａ）および図４に示すように、前記陸屋根５の両側縁部とパラペット６との間に排水溝８を形成することで、前記勾配屋根７から陸屋根５へと流れ込む雨水等や陸屋根５へと降り注いだ雨水等を確実に排水することができ、好ましい。
【００２７】
また、この排水溝８は、排水溝８に流れ込んだ雨水等をさらに外部に排出する排水管８ａと接続されている。
また、この排水溝８は、図１（ａ）に示すように、前記スラブ１２の両側縁部を直線状に切り欠くことによって形成された切欠部１２ａに嵌め込まれている。
なお、この排水溝８は、前記スラブ１２の両側縁部に設けられるものに限られず、前記スラブ１２の勾配屋根７とは反対側の縁部に沿って設けるものとしてもよい。
【００２８】
また、前記パラペット６は、前記陸屋根５の周縁部に沿って立設された壁体であり、図１１に示すように、その上部に、後述する笠木３８が設けられる。この笠木３８の下部とパラペット６との隙間には陸屋根５の下方の空間へと通じる換気孔が設けられており、換気性の向上を図ることができるようになっている。
また、このパラペット６のうち、平面視において、勾配屋根７の傾斜方向に沿って立設された両側部の勾配屋根側端部には、図２，３，７に示すように、前記勾配屋根７の傾斜角度と略等しい傾斜面６ｂを有する傾斜壁６ａが設けられており、前記パラペット６と勾配屋根７とに連続性を持たせることができるようになっている。
【００２９】
このパラペット６は、図２および図３に示すように、前記支持フレーム１３の上面に沿って設けられるとともに前記建物凸部２の上方に位置する腰壁フレーム１７と、前記支持フレーム１３の上面に沿って設けられるとともに前記建物凸部２の上部側から建物本体１の上部側に向かって所定長さ分進出した部分の上方に位置し、前記傾斜壁６ａを構成する特殊腰壁フレーム１８と、前記支持フレーム１４の上面に沿って設けられる防水立上りフレーム１９とを骨組みとする。そして、これら腰壁フレーム１７、特殊腰壁フレーム１８、防水立上りフレーム１９の表面に、後述するサイディング２０，２０ａ，２１等の外装材が取り付けられるとともに、防水処理が施されている。
【００３０】
なお、前記腰壁フレーム１７、特殊腰壁フレーム１８、防水立上りフレーム１９は、水平・垂直または斜めに設けられる金属製の軸組によって枠状に形成されたものである。
また、前記腰壁フレーム１７は、前記支持フレーム１３の上面の幅寸法と略等しい幅寸法に設定されている。
また、前記特殊腰壁フレーム１８は、前記支持フレーム１３の上面の幅寸法よりも大きな幅寸法に設定されており、その大きい分が、前記支持フレーム１３よりも外側に突出するようにして配置されている。
また、前記防水立上りフレーム１９は、前記支持フレーム１４の上面のうち、陸屋根側に隙間をあけるようにして勾配屋根側に配置されている。この支持フレーム１４の上面の陸屋根側には前記スラブ１２の端部が載せられるようになっている。
【００３１】
また、このパラペット６のうち、前記陸屋根領域３の勾配屋根側縁部に沿って設けられる立上りの部分の上端部の高さ位置と、前記パラペット６のその他の部分の上端部の高さ位置とが略等しくなるように設定されている。
すなわち、前記腰壁フレーム１７の上端部の高さ位置と、前記防水立上りフレーム１９の上端部の高さ位置とが略等しくなるように設定されている。また、このように周方向に略等しい高さに設定されたパラペット６と、勾配屋根７の傾斜角度とは、所定角度の傾斜面６ｂを有する前記傾斜壁６ａによって合わせることができるようになっている。
【００３２】
前記勾配屋根７は、前記建物本体１の上部のうち、前記建物凸部２の上部側から進出する陸屋根領域３の一部を除く部分である勾配屋根領域４に設けられている。
本実施の形態の勾配屋根７は上述のように切妻屋根であり、この勾配屋根７の棟から傾斜方向下端部までの長さは、平面視において、前記勾配屋根７の傾斜方向下端部が、前記建物本体１の外壁１ａの上端部よりも若干外側に突出する長さに設定されている。
なお、勾配屋根７の棟から傾斜方向下端部までの長さは、これに限られるものではなく、前記勾配屋根７の傾斜方向下端部と、前記建物本体１の外壁１ａの上端部とが略重なる程度の長さに設定されていてもよい。
【００３３】
また、この勾配屋根７は、図６および図７に示すように、矩形枠状の小屋パネル１５と、この小屋パネル１５上に配置される複数の屋根束と、これら複数の屋根束によって所定の角度に傾斜するように支持される屋根パネル１６とを有している。
【００３４】
前記小屋パネル１５は、前記建物ユニット１０の上梁と略等しい大きさに形成された矩形枠状体であり、この建物ユニット１０の上梁に沿って設けられている。
そして、この小屋パネル１５の上面には、図示はしないが、前記勾配屋根７の棟の下方に位置する箇所に最も上下に長い屋根束が配置されており、勾配屋根７の傾斜方向下端部に向かうにつれて、徐々に上下に短い屋根束が配置されている。
また、このように配置された複数の屋根束上に屋根パネル１６を設けることによって、勾配屋根７の傾斜面を形成できるようになっている。
【００３５】
なお、前記勾配屋根７の棟の下方には、前記建物ユニット１０だけでなく、前記建物ユニット１１も配置されているため、前記複数の屋根束は、図示はしないが、前記小屋パネル１５上だけでなく、前記建物ユニット１１の上部に設けられる支持フレーム１３の上面にも設けられているものとする。
また、前記屋根パネル１６と、前記建物本体１の外周の上端部との間に設けられる屋根束は、図示はしないが、傾斜面を有する三角形状に形成されたものが用いられている。
【００３６】
また、前記勾配屋根７は、図１（ａ）及び図７〜図１１に示すように、前記建物凸部２の上部側から進出する陸屋根領域５の一部に対応して形成された凹部７ａを有している。
すなわち、この凹部７ａは、前記勾配屋根７を構成する屋根パネル１６のうち、前記建物ユニット１１の上方に位置するとともに、勾配屋根７の棟よりも陸屋根５側に設けられる屋根パネル１６の傾斜方向の長さを、その他の屋根パネル１６の傾斜方向の長さよりも短くすることによって形成されている。
さらに、この勾配屋根７は、陸屋根領域３を挟むようにして勾配屋根７の勾配方向に向けて突出する突出部７ｂを有している。そして、これら突出部７ｂの傾斜方向下端部の高さ位置は、建物本体１の外周の軒先納まりの高さと等しくなるように設定されている。
なお、実施例では、前記突出部７ｂの間に、陸屋根領域３を囲むようにして凹部７ａが形成されている。
【００３７】
そして、この凹部７ａの縁部と、前記陸屋根５の周縁部に立設されたパラペット６のうち、前記建物凸部２の上部側から進出する陸屋根領域５の一部に立設された部分とは近接して配置されており、これら陸屋根５と勾配屋根７とは互いに噛み合うような構成となる。
例えば、これとは反対に、前記勾配屋根７の傾斜方向下端部に凹部７ａを形成せず、前記陸屋根５と勾配屋根７とが噛み合わないような構成とした場合は、外観だけでなく、建物の内部空間や間取り等にも影響が及ぶ場合があり、好ましくない。したがって、このように陸屋根５を勾配屋根７側に進出させれば、例えば前記建物凸部２の高さを低くする等の不具合が生じることを防ぐことができるので、建物の内部空間や間取り等に悪影響を与えることなく屋根の施工を行うことができる。
【００３８】
なお、前記建物ユニット１０，１１の製作時の基準となる長さの単位を１モジュールと設定されている。前記陸屋根５および勾配屋根７、その他の建物の構成要素も、この単位に基づいて設計・製造されており、製造時や施工時におけるシステム化が図られている。
そして、前記陸屋根領域３のうち、前記建物凸部２の上部側から建物本体１の上部側に向かって進出した部分の進出方向の長さは０．５モジュールに設定されている。これによって、前記陸屋根５の前記勾配屋根７側に進出する分の長さは基準化されることになるので、前記建物凸部２の上部の大きさを決めることで、前記陸屋根５の大きさを決定することができる。したがって、前記建物凸部２の上部に陸屋根５を構成する各部材を適宜配置するだけで、前記勾配屋根７側に進出する部分を、前記建物本体１の上部に確実かつ正確に配置することができる。
【００３９】
そして、前記パラペット６のうちの陸屋根領域３の一部に立設された部分と、前記勾配屋根７の凹部７ａの縁部との間には、これらパラペット６と凹部７ａの縁部との間を防水する防水手段が設けられている。
以下、この防水手段と、この防水手段を用いた防水の手順と、この防水の手順を含む屋根の施工方法について説明する。
【００４０】
まず、図２に示すように、前記建物ユニット１１の上面に沿って設けられた支持フレーム１３，１４の上面に、前記腰壁フレーム１７、特殊腰壁フレーム１８、防水立上りフレーム１９をそれぞれ設置する。
【００４１】
続いて、図３に示すように、前記腰壁フレーム１７の陸屋根側面および特殊腰壁フレーム１８の陸屋根側面にサイディング２０を取り付け、前記防水立上りフレーム１９の陸屋根側面にサイディング２０ａを取り付け、前記特殊腰壁フレーム１８の外側面にサイディング２１を取り付ける。
前記サイディング２０は、前記腰壁フレーム１７の陸屋根側面および特殊腰壁フレーム１８の陸屋根側面に対応した形状となっており、前記サイディング２０ａは矩形状に形成されている。また、前記サイディング２１は、前記特殊腰壁フレーム１８の外側面に対応した形状となっている。
さらに、前記腰壁フレーム１７および支持フレーム１３の外側面に、所定の厚みに設定されたパルク（ＰＡＬＣ；precast autoclaved light weight concrete；プレキャストオートクレーブド軽量気泡コンクリート）２２を取り付ける。
このパルク２２は、このパルク２２の前記特殊腰壁フレーム１８側を座堀加工することによって、前記サイディング２１が取り付けられた状態の特殊腰壁フレーム１８が前記支持フレーム１３から外側に突出する分と略等しい厚みに設定された座堀加工部２２ａを備えている。したがって、この座堀加工部２２ａの表面と、前記特殊腰壁フレーム１８のサイディング２１の表面とは面一になっている。
【００４２】
続いて、図４に示すように、前記支持フレーム１３，１４とで形成される枠内に、前記スラブ１２を、所定の水勾配となるように設ける。なお、このスラブ１２の下方には、このスラブ１２を支持する支持部材を設けるようにしてもよい。その際、この支持部材は、前記建物ユニット１１の天井小梁等に固定する。
さらに、前記スラブ１２とパラペット６との間に、前記排水溝８を設ける。
ここで、前記排水溝８は、前記パラペット６のサイディング２０に当接する当接板部８ｂと、この当接板部８ｂと一体形成されるとともに前記スラブ１２の切欠部１２ａに嵌め込まれる断面コ字型の溝本体８ｃと、この溝本体８ｃと一体形成されるとともに前記スラブ１２の切欠部１２ａの縁部に係止する係止部８ｄとを備えるものである。
【００４３】
さらに、前記パルク２２の上面と前記腰壁フレーム１７の上面とに跨って、これらパルク２２および腰壁フレーム１７の上部に被設される笠木３８を取り付けるための笠木下地材２３を、パラペット６の両側部と外側縁部とに沿ってコ字状に取り付ける。
この笠木下地材２３は例えば金属製のものが用いられており、前記腰壁フレーム１７の上面と、この腰壁フレーム１７の上面よりも低い位置にあるパルク２２の上面との段差を吸収できる形状に形成されている。
【００４４】
続いて、図５に示すように、前記スラブ１２の上面に、前記排水溝８の係止部８ｄの上から平場シート２５を敷設する。この平場シート２５は、いわゆる防水シートであり、前記スラブ１２の上面全面にわたって敷設される。
また、前記パラペット６の陸屋根側面と上面、および前記傾斜壁６ａの傾斜面６ｂとにわたって立上りシート２４を貼り付ける。この立上りシート２４は、いわゆる防水シートであり、前記パラペット６の周方向に沿って隙間なく貼り付けられる。
【００４５】
続いて、図６に示すように、前記パルク２２の上面と前記腰壁フレーム１７の上面とに跨るようにして、前記立上りシート２４の上から耐水シート２６を貼り付ける。また、この耐水シート２６のパルク２２側端部に沿ってウレタンコーキングを塗布し、水密性を高める。
なお、耐水シート２６は、いわゆる防水シートであり、ブチルゴム製のものが用いられているが、これに限られるものではなく、適宜変更可能である。
【００４６】
続いて、前記小屋パネル１５を、クレーンによって吊りあげ、前記建物ユニット１１上の支持フレーム１３に隣接するようにして配置する。
この時、前記小屋パネル１５の陸屋根側のコーナ部分が、前記傾斜壁６ａの下面に入り込むようにする。
また、図示はしないが、この小屋パネル１５および支持フレーム１４等の上面に、屋根パネル１６を支持するための複数の屋根束を設けておく。
【００４７】
さらに、前記防水立上りフレーム１９の上面に、この防水立上りフレーム１９の上面の長さ方向に沿って、前記立上りシート２４を介して目地材２７を取り付けておく。
この目地材２７は、前記防水立上りフレーム１９と、この防水立上りフレーム１９の上方に配置される破風下地３３（後述する）との間に形成される目地を埋めるためのものである。
【００４８】
続いて、図７に示すように、前記勾配屋根領域４に勾配屋根７を設ける。すなわち、前記建物ユニット１０，１１上の小屋パネル１５および支持フレーム１４等の上面に設けられた複数の屋根束によって支持するようにして屋根パネル１６を設ける。
なお、上述のように、この屋根パネル１６のうち、前記建物ユニット１１の上方に位置するとともに、勾配屋根７の棟よりも陸屋根５側に設けられる屋根パネル１６の傾斜方向の長さは、その他の屋根パネル１６の傾斜方向の長さよりも短く形成されているので、該屋根パネル１６の傾斜方向下端部側に前記凹部７ａを形成することができる。
この長さの短い屋根パネル１６の傾斜方向下端部は、前記パラペット６の傾斜壁６ａの勾配屋根側端面に近接して設けられる。また、この長さの短い屋根パネル１６に隣接するとともに、前記建物ユニット１０の上方に位置する屋根パネル１６は、傾斜方向下端部が、前記パラペット６の傾斜壁６ａの外側面のサイディング２１表面と、前記パルク２２の座堀加工部２２ａの表面に当接するようにして設けられている。
なお、図７および図８に示すように、前記長さの短い屋根パネル１６を含む屋根パネル１６の上面は、互いに隣り合う屋根パネル１６の上面と連続するようにして設けられている。
【００４９】
続いて、図８に示すように、前記長さの短い屋根パネル１６に隣接するとともに、前記建物ユニット１０の上方に位置する屋根パネル１６の傾斜方向下端部の上面と、前記パラペット６の特殊腰壁フレーム１８の外側面のサイディング２１表面と、前記パルク２２の座堀加工部２２ａの表面とにわたって、耐水シート２８を貼り付ける。
また、前記長さの短い屋根パネル１６の傾斜方向下端部と、この長さの短い屋根パネル１６に隣接する屋根パネル１６の上面と、前記傾斜壁６ａの傾斜面６ｂとにわたって、耐水シート２９を貼り付ける。
その後、前記屋根パネル１６の傾斜方向下端部の上面に、屋根パネル１６の幅方向に沿って軒先耐水シート３０を貼り付ける。
なお、これら耐水シート２８，２９，３０は、いわゆる防水シートであり、前記耐水シート２６と同様にブチルゴム製とするが、これに限られるものではなく、適宜変更可能である。
【００５０】
続いて、図９に示すように、前記屋根パネル１６の上面に、ルーフィング３１を敷設する。なお、このルーフィング３１は、アスファルトルーフィングである。
さらに、前記屋根パネル１６の傾斜方向下端部の垂直面に、この垂直面の長さ方向に沿って破風下地３３を取り付ける。
また、前記長さの短い屋根パネル１６を除く屋根パネル１６の傾斜方向下端部には、この屋根パネル１６の上面と前記ルーフィング３１との間に、前記破風下地３３よりも前方に突出する金属製の軒先水切り３２を設ける。
また、前記パルク２２の座堀加工部２２ａの表面と、前記耐水シート２６との上から、後述する水切り部材３５の下地となる押し縁合板３４を取り付けておく。
【００５１】
続いて、図１０および図１１に示すように、前記パラペット６と、このパラペット６の外側に設けられる屋根パネル１６との取り合い部分をカバーする水切り部材３５を、該取り合い部分に取り付ける。この水切り部材３５は、屋根パネル１６の上面に固定されるカバー下地３６と、このカバー下地３６の上から被せられるカバー材３７とを備えている。
【００５２】
まず、前記カバー下地３６を、このカバー下地３６の固定板部３６ａを前記屋根パネル１６の上面に載せるとともに、パラペット側板部３６ｂを前記押し縁合板３４に当接させるようにして、前記屋根パネル１６に設置する。この時、このカバー下地３６の軒先側板部３６ｃは、前記屋根パネル１６の傾斜方向下端部よりも前方に突出するようにする。
続いて、前記固定板部３６ａに一体的に設けられた押さえ板部３６ｄ，３６ｄの孔部から釘等を打ち込むことによって、前記カバー下地３６を前記屋根パネル１６に固定する。
【００５３】
続いて、前記カバー材３７を、前記カバー下地３６の上から被せるようにして設ける。
その際は、まず、このカバー材３７の固定板部３７ａを前記カバー下地３６の固定板部３６ａの上面に重ねるようにして、かつ前記傾斜壁６ａの傾斜面６ｂおよび屋根パネル１６の上面に載せる。
さらに、この固定板部３７ａに一体的に設けられるカバー本体３７ｂを、前記パラペット６と傾斜壁６ａとの取り合い部分に被さるようにして設ける。
また、この時、このカバー材３７の陸屋根側板部３７ｃによって、前記傾斜壁６ａの陸屋根側面をカバーする。
そして、前記固定板部３７ａに一体的に設けられた押さえ板部３７ｄの孔部から釘等を打ち込むことによって、前記カバー材３７を前記屋根パネル１６に固定する。
【００５４】
続いて、図１１に示すように、前記パルク２２の上面と前記腰壁フレーム１７の上面とに跨って取り付けられた笠木下地材２３の上から笠木３８を被設する。
この笠木３８の勾配屋根側端部は、前記カバー本体３７ｂに当接し、これら笠木３８とカバー本体３７ｂとの当接部分にはシーリング材を塗布して水密性を高める。
また、前記長さの短い屋根パネル１６の傾斜方向下端部には、この屋根パネル１６の上面と前記ルーフィング３１との間に、前記破風下地３３よりも前方に突出する金属製の軒先水切り３９を設ける。
【００５５】
続いて、図１２（ａ）に示すように、前記ルーフィング３１を施した屋根パネル１６の上面に屋根材４０を敷設する。
この時、図１２（ｂ）に示すように、前記カバー材３７の固定板部３７ａの陸屋根側縁部に、該陸屋根側縁部に沿ってけらば水切り４１が設けるようにする。
そして、前記建物ユニット１０の上方に位置する屋根パネル１６の傾斜方向下端部の陸屋根側に配置された屋根材４０の陸屋根側縁部を、このけらば水切り４１の突条の下方に差し込むようにする。
さらに、図１２（ａ）に示すように、前記屋根パネル１６の傾斜方向下端部の破風下地３３の表面には、この破風下地３３の長さ方向に沿って軒樋４２を取り付ける。
以上のようにして、前記陸屋根５と勾配屋根７との取り合い部分の防水を確実に行うことができるとともに屋根を施工することができる。
【００５６】
本実施の形態によれば、平面視において略Ｌ字型や略凸字型、略凹字型等に建築された建物に勾配屋根を設ける場合に、前記建物凸部２の上部と、この建物凸部２の上部に連続し、かつ、この建物凸部２の上部側から建物本体１の上部側に向かって所定長さ分進出した部分とが陸屋根領域３とされ、この陸屋根領域３に、周縁部に所定高さに設定されたパラペット６が立設される陸屋根５が設けられており、前記建物本体１の上部のうち、前記建物凸部２の上部側から進出する陸屋根領域３の一部を除く部分が勾配屋根領域４とされ、この勾配屋根領域４に、傾斜方向下端部に、前記建物凸部２の上部側から進出する陸屋根領域３の一部に対応して形成された凹部７ａを有する勾配屋根７が設けられているので、建物の外形に合わせて屋根を形成する必要がなく、建物の上部に設けられる屋根を、陸屋根５と、比較的単純な勾配屋根７とで構成することができる。
これによって、建物凸部２を有する建物の外形に合わせて屋根を形成する場合に比して、屋根に設けられる棟の数を格段に少なくすることができるので、屋根形状を単純化することができる。
【００５７】
また、このように棟の数を少なくできるので、前記陸屋根５と勾配屋根７との取り合い部分を重点的に防水すればよく、防水処理に係る手間を省略することができる。さらに、前記パラペット６のうちの陸屋根領域３の一部に立設された部分と、前記勾配屋根７の凹部７ａの縁部との間には、これらパラペット６と凹部７ａの縁部との間を防水する防水手段が設けられているので、前記陸屋根５と勾配屋根７との取り合い部分からの雨水の浸入を確実に防ぐことができる。
【００５８】
また、このように棟の数を少なくし、屋根形状を単純化できるので、前記勾配屋根７の傾斜面に太陽電池モジュールを設置する際に、従来とは異なり、特殊な形状の太陽電池モジュールを用いる必要がなく、低コストで太陽電池付き屋根の施工を行うことができる。
【００５９】
さらに、前記勾配屋根７は、従来の陸屋根の周縁部から間隔をあけて設置される勾配屋根とは異なり、前記建物凸部２の上部側から進出する陸屋根領域３の一部を除く部分の勾配屋根領域４に設けられるので、傾斜面の面積を広くすることができ、より多くの数の太陽電池モジュールを設置することができる。
【００６０】
また、前記勾配屋根７の傾斜方向下端部に凹部７ａを形成せず、前記陸屋根５と勾配屋根７とが噛み合わないような構成とした場合は、例えば前記建物凸部２を、前記建物本体１よりも、前記パラペット６の高さ分低くしなければならない等の問題があり、外観だけでなく、建物の内部空間や間取り等にも影響が及ぶ場合がある。このため、以上のように陸屋根５を勾配屋根７側に進出させ、これら陸屋根５と勾配屋根７とを噛み合わせる構成とすることによって、外観や建物の内部空間や間取り等に影響を与えることなく屋根の施工を行うことができる。
【００６１】
また、前記陸屋根５の周縁部に立設されたパラペット６のうち、平面視において近接する勾配屋根７の傾斜方向に沿って立設された両側部の勾配屋根側端部には、前記近接する勾配屋根７の傾斜角度と略等しい傾斜面６ｂを有する傾斜壁６ａが設けられているので、前記パラペット６と勾配屋根７とに連続性を持たせることができる。
これによって、前記勾配屋根７の傾斜面と、前記傾斜壁６ａの傾斜面６ｂとを面一にすることができるので、これら勾配屋根７と傾斜壁６ａとの間の防水処理を容易かつ確実に行うことができるとともに、前記陸屋根５と勾配屋根７との取り合い部分における外観性を向上させることができる。
【００６２】
また、前記陸屋根５の周縁部に立設されたパラペット６のうち、前記陸屋根領域３の勾配屋根側縁部に沿って設けられる立上りの部分の上端部の高さ位置と、前記パラペット６のその他の部分の上端部の高さ位置とが略等しくなるように設定されているので、前記勾配屋根７の傾斜角度に関わらず前記陸屋根５を、前記陸屋根領域３に設けることができる。すなわち、例えば現場毎に勾配屋根７の傾斜角度と合うように、その全体の高さや角度を調節しながらパラペット６を設置するような必要がないので、前記勾配屋根７の傾斜角度が何度であっても対応することができる。
また、前記勾配屋根７は、陸屋根領域３を挟むようにして勾配屋根７の勾配方向に向けて突出する突出部７ｂを有しており、これら突出部７ｂの傾斜方向下端部の高さ位置は、建物本体１の外周の軒先納まりの高さと等しくなるように設定されているので、前記建物本体１に建物凸部２を設けるとともに、この建物凸部２の上部に前記陸屋根５を設けたとしても、建物外周の軒先の高さが揃うことになる。したがって、建物全体に統一感を持たせることができ、外観性を向上させることが可能となる。
【００６３】
また、建物全体をユニット工法によって施工するので、前記建物ユニット１０，１１を工場等で予め製造しておき、建設現場において、前記建物ユニット１０，１１や、陸屋根５および勾配屋根７を構成する各部材をクレーンで順次吊り込む作業を行うことにより、前記建物本体１および建物凸部２と、陸屋根５と、勾配屋根７とを建築することができ、建設現場で異種の工法作業を行う必要がなく、作業の容易化を図ることができる。したがって、工期の短縮、コストダウン等を達成できる。
さらに、前記建物ユニット１０，１１の製作時の基準となる長さの単位を１モジュールと設定した時、前記陸屋根領域３のうち、前記建物凸部２の上部側から建物本体１の上部側に向かって進出した部分の進出方向の長さは０．５モジュールに設定されているので、前記陸屋根５の前記勾配屋根７側に進出する分の長さは基準化されることになる。これによって、前記建物凸部２の上部の大きさを決めることで、前記陸屋根５の大きさを決定することができるので、前記建物凸部２の上部に陸屋根５を構成する各部材を適宜配置するだけで、前記勾配屋根７側に進出する部分を、前記建物本体１の上部に確実かつ正確に配置することができる。
【符号の説明】
【００６４】
１  建物本体
２  建物凸部
３  陸屋根領域
４  勾配屋根領域
５  陸屋根
６  パラペット
７  勾配屋根
７ａ  凹部
【図１】
0005410252.tif 000002
【図２】
0005410252.tif 000003
【図３】
0005410252.tif 000004
【図４】
0005410252.tif 000005
【図５】
0005410252.tif 000006
【図６】
0005410252.tif 000007
【図７】
0005410252.tif 000008
【図８】
0005410252.tif 000009
【図９】
0005410252.tif 000010
【図１０】
0005410252.tif 000011
【図１１】
0005410252.tif 000012
【図１２】
0005410252.tif 000013